(57)【特許請求の範囲】
【請求項１】
一端部に第１の導体接続部が設けられる細長の第１の枠体と、前記第１の枠体を中間部まで挿入して前記一端部の先方に空所を残した状態で固定するアウターケースと、導体接続部を挿通する開口を有し、弾性部材を介して係合部材を取付けた板状の連結装置とを備え、前記連結装置を前記アウターケース内の、前記第１の枠体の一端部の近傍位置に配置して該アウターケースに固定し、前記アウターケースの片側の前記空所に、係合部及び第２の導体接続部が端部に設けられる細長の第２の枠体を挿入して前記連結装置の係合部材を弾性力で前記係合部に係合させて機械的に連結するとともに、前記連結装置の前記開口を挿通させた前記第２の導体接続部を、前記第１の枠体に設けられる前記第１の導体接続部と電気的に接続してなることを特徴とする導体接続部を有する枠体の連結装置。
【請求項２】
前記アウターケースに、前記係合部材による前記第２の枠体への係合を解除するリリース孔を形成したことを特徴とする請求項１に記載の導体接続部を有する枠体の連結装置。
【請求項３】
前記第１および第２の枠体に、多光軸光電スイッチを構成する予め定めた個数の発光素子を有する投光部や前記投光部の発光素子と同数の受光素子を有する受光部が固定されていることを特徴とする請求項１又は請求項２に記載の導体接続部を有する枠体の連結装置。
【発明の詳細な説明】
【０００１】
【発明の属する技術分野】
本発明は、多光軸光電スイッチに用いる枠体のような導体接続部を有する枠体の連結装置に関する。
【０００２】
【従来の技術】
一定の範囲を検知する光電スイッチとして、図１３に示すような光軸の増減が可能な多光軸光電スイッチが知られている。図１３は６つの光軸を有する多光軸光電スイッチの例の斜視図であり、投光部５１と、受光部５２とが対向して設けられている。投光部５１には図示しない６個の発光素子が配置されており、受光部５２には６個の受光素子５３ａ〜５３ｆが配置されている。これらの各発光素子と各受光素子５３ａ〜５３ｆとは各々光軸同士が一致するような構造をなしている。受光部５２は、基本ユニット５４と、この基本ユニット５４および相互間に接続可能な増設ユニット５５と、この増設ユニット５５および基本ユニット５４に接続可能なエンドユニット５６とから構成されている。
【０００３】
図１４は、図１３の多光軸光電スイッチの受光部５２の組立図である。基本ユニット５４は、略中央部に段差が形成され、太部５４ａとこの太部５４ａと一体形成された細部５４ｂとから構成されている。細部５４ｂには係合突起部５４ｃと案内溝５４ｄが形成されている。増設ユニット５５は、略中央部に段差が形成され、中空状の継手部５５ａとこの継手部５５ａと一体形成された受光素子取付部５５ｃとから構成されている。中空状の継手部５５ａの側面には基本ユニット５４の係合突起部５４ｃが係合される係合孔５５ｂが設けられている。また、受光素子取付部５５ｃには、係合突起部５５ｄと案内溝５５ｅが形成されている。エンドユニット５６の側面には増設ユニット５５の係合突起部５５ｄが係合される係合孔５６ａが形成されている。
【０００４】
これらのユニットで多光軸光電スイッチを組み立てる際は、基本ユニット５４の細部５４ｂを増設ユニット５５の継手部５５ａに差し込んで、増設ユニット５５の図示しない凸部を案内溝５４ｄ内を摺動させて両者を連結する。この際にいずれか一方に設けた雌型コネクタと他方に設けた雄型コネクタとを嵌合する。また、増設ユニット５５の素子取付部５５ｃをエンドユニット５６に差し込んで、エンドユニット５６の図示しない凸部を案内溝５５ｅ内を摺動させて両者を連結する。この際にいずれか一方に設けた雌型コネクタと他方に設けた雄型コネクタとを嵌合する。これにより基本ユニット５４、増設ユニット５５、エンドユニット５６が機械的電気的に連結接続される。
【０００５】
図１５は、基本ユニット５４と増設ユニット５５との電気的な連結接続の構成を示す斜視図である。基本ユニット５４の先端の凹部５４ｅには雄型コネクタ５４ｆが設けられている。また、増設ユニット５５の先端の凸部５５ｆには雌型コネクタ５５ｇが設けられている。増設ユニット５５の凸部５５ｆを基本ユニット５４の凹部５４ｅに挿入し、雌型コネクタ５５ｇと雄型コネクタ５４ｆとを嵌合する。この際に、増設ユニット５５のつめ部５５ｈを基本ユニット５４の係合孔５４ｇと係合させる。
【０００６】
【発明が解決しようとする課題】
図１３に示した多光軸光電スイッチのように、それぞれ導体接続部を設けているユニット（枠体）を機械的に連結し、各導体接続部を連結して枠体を電気的にも接続する装置においては、導体接続部が枠体内等の目視できない位置に設けられている場合がある。このような場合には、各導体接続部の位置合せが困難で枠体の機械的電気的な連結接続が良好になされず、また、位置合せの際に衝撃が加わり導体接続部を損傷する可能性があるという問題があった。
【０００７】
また図１４に示したように、各枠体の表面に設けられた係合孔に係合突起部を係合して各枠体を連結しているので、係合突起部は各枠体の表面に露出しており、係合突起部に物体が接触して係合突起部が係合孔から離脱したり、または故意に係合突起部を係合孔から外すことにより、各枠体の機械的電気的な連結接続が解除されることがあるので、セキュリテイの面で信頼性に欠けるという問題があった。
【０００８】
本発明は、上記課題に鑑みなされたもので、導体接続部が設けられている枠体の機械的電気的な連結接続が良好に行え、また、当該枠体の機械的電気的な連結接続が本来の用途以外で解除されることを防止した、導体接続部を有する枠体の連結装置の提供を目的とする。
【０００９】
上記課題を解決するために、請求項１に係る発明は一端部に第１の導体接続部が設けられる細長の第１の枠体と、前記第１の枠体を中間部まで挿入して前記一端部の先方に空所を残した状態で固定するアウターケースと、導体接続部を挿通する開口を有し、弾性部材を介して係合部材を取付けた板状の連結装置とを備え、前記連結装置を前記アウターケース内の、前記第１の枠体の一端部の近傍位置に配置して該アウターケースに固定し、前記アウターケースの片側の前記空所に、係合部及び第２の導体接続部が端部に設けられる細長の第２の枠体を挿入して前記連結装置の係合部材を弾性力で前記係合部に係合させて機械的に連結するとともに、前記連結装置の前記開口を挿通させた前記第２の導体接続部を、前記第１の枠体に設けられる前記第１の導体接続部と電気的に接続してなる構成としている。
【００１０】
また、請求項２に係る発明は請求項１に記載の導体接続部を有する枠体の連結装置において、アウターケースに、係合部材による第２の枠体への係合を解除するリリース孔を形成している。
【００１１】
また、請求項３に係る発明は請求項１または請求項２に記載の導体接続部を有する枠体の連結装置において、第１および第２の枠体に、多光軸光電スイッチを構成する予め定めた個数の発光素子を有する投光部や前記投光部の発光素子と同数の受光素子を有する受光部を固定している。
【００１２】
請求項１に係る発明においては、アウターケースの内部に導体接続部を挿通する開口を有し、弾性を有する係合部材を取付けた板状の連結装置を固定し、この開口部に第２の導体接続部を案内挿入して第１の導体接続部と接続している。このため、両導体接続部が目視できないアウターケース内に配置されている場合でも、両導体接続部の位置合わせが簡単にしかも正確になされ、導体接続部を有する枠体の機械的電気的な連結接続を、導体接続部を損傷することなく良好に行える。第１の枠体を固定したアウターケースと第２の枠体を固定する手段をアウターケース内に設けているので、物体の接触による枠体の機械的電気的な連結接続の解除が防止できる。
【００１３】
また、請求項２に係る発明においてはアウターケースにリリース孔を設け、専用の工具を用いた場合のみ連結装置による枠体の固定を解除できるので、セキュリティの面で信頼性が向上する。
【００１４】
また、請求項３に係る発明においては前記連結装置を多光軸光電スイッチに適用しているので、多光軸光電スイッチの各ユニット（枠体）の機械的電気的な連結接続が良好に行える。
【００１５】
【発明の実施の形態】
以下、本発明の枠体の連結装置の実施の形態について、多光軸光電スイッチのユニット（枠体）を連結する例で図１ないし図１２を参照して説明する。図６は増設ユニットの構成部材であるインナーケースと固定枠を示す分解斜視図である。図６において、１２は透光性の合成樹脂材からなる封止体により必要数の発光素子または受光素子を封止しているインナーケース、１２ａはインナーケース１２の一方突出端部１２ｑに設けられている雄型コネクタで、インナーケース１２の他方の端部には雌型コネクタが設けられている。
【００１６】
１２ｂ、１２ｃはインナーケース１２の側面に設けられている突起部である。なお、図示されていないがインナーケース１２の他方の側面にも突起部１２ｄ、１２ｅが設けられている。また、インナーケース１２の表面から段部１２ｆ，１２ｇが形成されており、両側面と段部１２ｆ、１２ｇの間は空間部が形成されている。
【００１７】
１３は金属板により断面略コ字状に形成される固定枠で、両側面に係合孔１３ｂ〜１３ｅを形成している。固定枠１３の係合孔１３ｂ〜１３ｅにインナーケース１２の前記突起部１２ｂ〜１２ｅをそれぞれ係合してインナーケース１２の光路側表面のみを露出させ、両側面と底面を金属板で覆いインナーケース１２を固定枠１３で保持する。固定枠１３の底板の一方端部には作用を後述するロックアーム係合孔１３ａが長手方向に形成されている。１３ｆ、１３ｇは両側面のエッジ部である。
【００１８】
図７は増設ユニットの他の構成部材のアウターケースを示す斜視図である。アウターケース１４は金属材料を用いて成型加工により溝状に形成されており、内側の両側面には対称の位置に案内溝１４ａ、１４ｂが設けられている。また、アウターケースの内側の一方の側面には案内突起部１４ｃ、１４ｄが設けられており、他方の内側の側面には、案内突起部１４ｃ、１４ｄと対称の位置に案内突起部１４ｅ、１４ｆが設けられている。１４ｇはアウターケースの底板の一方端部の長手方向に突出して形成された合成樹脂材を用いたスペーサであり、２個所の突出部が設けられている。スペーサ１４ｇは、ユニット連結時に連結案内具として作用し、ユニット連結後にはその弾性力でユニットのガタつきを防止する。
【００１９】
図８は、図７の矢視Ａ方向からみた正面図である。スペーサ１４ｇが設けられている側とは反対側のアウターケースの底面端部には、板厚方向に隣接する他のユニットのスペーサが挿入されるスペーサ挿入孔１４ｈが２個所に形成されており、連結案内用のスペーサの２個所の突出部を挿入して他のユニットと連結する。また、アウターケース１４の両側面から連接された傾斜部１４ｉ、１４ｊの先端には、インナーケース１２の表面に形成された段部１２ｆ、１２ｇと同じ長さにエッジ１４ｋ、１４１が形成されている。
【００２０】
図９は増設ユニット１１を組立てた状態を示す斜視図である。インナーケース１２を保持している固定枠１３のエッジ部１３ｆ，１３ｇを、アウターケース１４の案内溝１４ａ、１４ｂの上面に接触させ、また固定枠１３の両側面をアウターケース１４の案内突起部１４ｃ〜１４ｆに接触させながらスライドして、固定枠１３をアウターケース１４の内側に所定位置まで挿入する。固定枠１３は、アウターケース１４の底面からねじを挿入する等により固定される。
【００２１】
この際に、インナーケース１２の両側面に形成された段部１２ｆ，１２ｇと、アウターケース１４のエッジ１４ｉ、１４ｊが当接し、インナーケース１２の表面と、アウターケース１４の傾斜部１４ｉ、１４ｊとにより段差が殆どなくなだらかな連続面で増設ユニットの表面が形成される。このようにして、光学素子の光路を露出させてインナーケース１２を保持した固定枠１３がアウターケース１４内に収納固定される。
【００２２】
図１０は、多光軸光電スイッチの組立図である。図１０において、１は基本ユニット、１１は増設ユニット、２１はエンドユニットである。基本ユニット１は、透光性の合成樹脂材からなる封止体により必要数の発光素子または受光素子を封止しているインナーケース２、インナーケース２を保持する固定枠３、固定枠３が挿入されるアウターケース４、エンドカバー５、取付部６、リード線７で構成されている。
【００２３】
インナーケース２の一方突出端部２ｑには雄型コネクタ２ａが設けられており、他方端部はリード線７に接続されている。また、インナーケース２の両側面には突起部が設けられており、突起部を固定枠３の両側面に形成される係合孔３ｂ・・・に係合してインナーケース２を固定枠３に固定する。２ｒはインナーケース２の先端面である。
【００２４】
アウターケース４の断面形状は、増設ユニット１１のアウターケース１４の断面形状と同一の形状で溝状に形成されている。すなわち、アウターケース４の内側の両側面には、対称の位置に案内溝４ａ、４ｂが形成されている。また、アウターケースの内側の一方の側面には案内突起部４ｃ、４ｄが形成されており、他方の内側の側面には、対称の位置に案内突起部４ｅ、４ｆが形成されている（一方側面の案内溝４ｂ、案内突起部４ｅ、４ｆは図示しない）。さらにアウターケース４の開放側端部の底面先端にはスペーサ挿入孔が設けられており、隣接する増設ユニットの連結案内用スペーサの突出部が挿入される。
【００２５】
アウターケース４の他方の端部はエンドカバー５の端面と密着しており、固定枠３は、アウターケース４およびエンドカバー５の底面からねじ等により固定される。エンドカバー５の表面には傾斜部５ａ、５ｂが形成されており、インナーケース２の表面とエンドカバー５の表面とは殆ど段差なくなだらかな連続面が形成される。
【００２６】
エンドユニット２１は、エンドブロック２２、位置決め連結装置用カバー２３、取付部２５が設けられている。エンドブロック２２には雌型コネクタ取付基板が配置されており、後述するように位置決め連結装置内で雌型コネクタと増設ユニット１１の雄型コネクタとを電気的に接続し、取付部２５に取付け部材を固定する。位置決め連結装置用カバー２３はインナーケース２、１２と同様の透光性の合成樹脂材で形成され、位置決め連結装置用カバー２３の表面とアウターケース２４の傾斜部とは殆ど段差なくなだらかな連続面が形成される。
【００２７】
アウターケース２４の開放端の底面には長手方向にスペーサが突出して設けられている。増設ユニットの固定枠１３をエンドユニット２１のアウターケース２４に挿入し、エンドユニット２１に設けられている位置決め連結装置のロックアームを増設ユニットの固定枠１３の底板に設けている係合孔１３ａに係合する。また、アウターケース２４の底板に設けたスペーサを増設ユニット１１のアウターケース１４の底板に設けたスペーサ挿入孔に挿入して、増設ユニット１１とエンドユニット２１とを機械的電気的に連結接続する。同様にして基本ユニット１と増設ユニット１１とを機械的電気的に連結接続する。
【００２８】
上記のように各ユニットを機械的電気的に連結接続する際には、連結装置が用いられる。図１は、増設ユニット１１のアウターケース１４内に取り付ける連結装置を示す分解斜視図であり、図２は連結装置の底面図である。連結装置１５は中央に開口部１５ａが形成されており、その下部にはロックアーム１７が板バネ１９により弾性を付与されて取り付けられている。１６はゴム等の弾性材で形成されているパッキンで、中央には開口部１６ａが形成されており、連結装置１５に嵌めこまれている。連結装置１５の底面にはねじ孔１８ａ、１８ｂが設けられている。
【００２９】
アウターケース１４の底面には、ねじ孔１４ｍ、１４ｎと、ユニットの連結解除用のリリース孔１４ｑ、１４ｒが形成されている。アウターケース１４の底面に形成したねじ孔１４ｍ、１４ｎ、連結装置１５の底面に形成されたねじ孔１８ａ、１８ｂを通してねじ１８をねじ込み、連結装置１５をアウターケース１４内に固定する。
【００３０】
図３は、アウターケース１４内に固定された状態の連結装置を示す断面図である。この例では図１０で説明したように増設ユニット１１のアウターケース１４に固定した連結装置１５を用いて基本ユニット１を連結した状態を示している。このため、連結装置１５の開口部１５ａには基本ユニット１のインナーケース２が挿入されている。１２ｈは、増設ユニット１１のインナーケース１２の端部に設けられている雌型コネクタである。
【００３１】
図４は、基本ユニットと増設ユニットとを連結装置により機械的電気的に連結接続する例を示す概略の側断面図である。図４において増設ユニット１１のインナーケース１２の先端に設けられている雌型コネクタ１２ｈは、取付基板１２ｐに取付けられており、図示しない導体により発光素子または受光素子と接続されている。また、基本ユニット１のインナーケース２の突出端部２ｑに設けられている雄型コネクタ２ａは、取付基板２ｐに取付けられており、図示しない導体により発光素子または受光素子と接続されている。
【００３２】
増設ユニット１１のアウターケース１４には連結装置１５が固定されている。連結装置１５の底面には溝１５ｂが形成されており、板バネ１９の固定部１９ａが取り付けられている。板バネ１９の自由端１９ｂは、ロックアーム１７のスリット１７ａに挿入され、板バネ１９はロックアーム１７に弾性力を付与している。１５ｃはパッキン１６の収納凹部で、パッキン１６は収納凹部１５ｃの位置で連結装置１５に嵌め込まれる。パッキン１６は、両コネクタ接続部の防塵、防水手段として作用する。
【００３３】
基本ユニット１の固定枠３が増設ユニット１１のアウターケース１４に挿入されると、インナーケース２の突出端部２ｑが連結装置１５の開口部１５ａで案内されて連結装置１５内を進行し、パッキン１６の開口部１６ａ通過する。連結装置１５の先端面１５ｃの位置にインナーケース２の先端面２ｒが接触すると基本ユニット１の固定枠３の進行は停止する。
【００３４】
連結装置１５の幅方向の寸法Ｔは、先端面１５ｄにインナーケース２の先端面２ｒが接触する位置で、増設ユニット１１の雌型コネクタ１２ｈと基本ユニット１の雄型コネクタ２ａとが嵌合接続するように選定されている。このように、連結装置１５の開口部１５ａにより雄型コネクタ２ａを案内挿入して雌型コネクタ１２と嵌合している。このため、雌型コネクタ１２ｈと雄型コネクタ２ａとの位置合わせが簡単に、しかも正確になされ、両コネクタを損傷することなく基本ユニット１と増設ユニット１１との機械的電気的な連結接続が良好に行える。パッキン１６は増設ユニット１１と基本ユニット１とが連結される際の機械的衝撃を緩和する作用も有している。１６ｂはパッキン１６の表面がインナーケース２の突出端部２ｑで押圧されたときに変形した部分を示している。
【００３５】
また、連結装置１５のロックアーム１７が基本ユニット１の固定枠３の底板に形成されているロックアーム係合孔３ａの先端に押圧されて浮き上がり、板バネ１９により弾性を付与されつつ前記固定枠３の底板を乗り越えるようにしてロックアーム係合孔３ａと強固に係合される。この際に、アウターケース１４の底板の一方の端部に形成されている連結案内用のスペーサ１４ｇは、基本ユニット１のアウターケース４の底板先端に形成されているスペーサ挿入孔に挿入される。このようにして、増設ユニット１１と基本ユニット１とは電気的、機械的に連結接続される。
【００３６】
連結装置１５のロックアーム１７は板バネ１９により弾性が付与されてロックアーム係合孔３ａと係合されて、強固に機械的に連結されている。このため、一旦基本ユニット１と増設ユニット１１とが機械的、電気的に連結接続されると、基本ユニット１から増設ユニット１１を故意に引き抜こうとしても両者の連結を離脱させることはできない。
【００３７】
図５は、連結装置１５の取付け位置におけるアウターケース１４の底面図である。前記したようにアウターケース１４の底面には、連結装置１５の取付け用ねじ孔１４ｍ、１４ｎと共に、ユニットの連結解除用のリリース孔１４ｑ、１４ｒが形成されている。この連結解除用のリリース孔１４ｑ、１４ｒは、専用のユニットのリリース用工具が挿入されるように孔の直径と、孔を形成する位置、孔間の距離が選定されている。
【００３８】
メンテナンス等により基本ユニット１と増設ユニット１１との連結を解除する必要がある場合には、この専用工具をリリース孔１４ｑ、１４ｒに挿入し、ロックアーム１７の底面を押し上げる。このときの押し上げ力が板ばね１９の弾性力を上回ると、ロックアーム１７はロックアーム係合孔３ａとの係合が外れ基本ユニット１と増設ユニット１１との機械的な連結を解除して、増設ユニット１１を基本ユニット１から引き抜くことができる。
【００３９】
図１１は、図１０のようにして機械的電気的に連結接続された多光軸光電スイッチの斜視図である。この例においては、アウターケースの底面内側に配置される位置決め連結装置に設けたロックアームと固定枠の底板に長手方向に形成されているロックアーム係合孔、およびアウターケースの底板に長手方向に設けたスペーサとアウターケースの底板に板厚方向に設けたスペーサ挿入孔により隣接するユニット同士の連結がなされる。このようにユニット同士の連結機構はすべてアウターケースの底面内側に設けられているので、アウターケースの外側表面には連結機構を含めて突出した部分は存在せず、多光軸光電スイッチの表面は滑らかに形成される。
【００４０】
図１１の例では、基本ユニット１、増設ユニット１１、エンドユニット２１をそれぞれ１ユニットづつ連結している。しかしながら、必要とする光軸数に応じて基本ユニット１にエンドユニット２１を直接に連結しても良く、また、増設ユニットを所定数連結する構成とすることもできる。
【００４１】
図１２は、エンドユニットに設ける取付け部材の分解斜視図である。図において、２５ａはエンドユニット２１の取付部２５の表面に突出して円環状に形成されているリブである。２６は第１取付け金具で内面に前記リブ２５ａを収容する溝２６ａが形成されている。また、端面にはねじ孔２６ｂ、２６ｃが形成されている。２６ｄは所定の大きさに形成された取付け孔である。
【００４２】
２７は第２取付け金具で内面に前記リブ２５ａを収容する溝２７ａが形成されている。また、端面にはねじ孔２７ｂ、２７ｃが形成されている。エンドユニット２１の取付部２５に対して、二つ割の構成とされている第１の取付け金具２６と第２取付け金具２７とを、それぞれ溝２６ａ、２７ａに取付部２５の表面に形成されているリブ２５ａを収容して位置合わせを行い、ねじ２８をねじ孔２７ｂ，２６ｂと２７ａ、２６ａにそれぞれ挿入してねじ止めし、第１取付け金具２６と第２取付け金具２７とをエンドユニット２１の取付部２５に固定する。
【００４３】
多光軸光電スイッチの受光部と投光部とは所定の距離だけ離間して配置され、それぞれエンドユニットに形成されている前記取付け孔２６ｄの位置でねじ止めすることにより、台座や取付け枠等に固定される。
【００４４】
上記の例では、多光軸光電スイッチの各ユニット（枠体）を機械的電気的に連結接続する例で枠体の連結装置を説明した。しかしながら、本発明は多光軸光電スイッチに限定されるものではなく、導体接続部を有する複数の枠体を機械的電気的に連結接続するための連結装置に適用できる。
【００４５】
【発明の効果】
以上、説明したように請求項１に係る発明においては、第１の枠体に開口部を形成した連結装置を固定し、この開口部に第２の導体接続部を案内挿入して第１の導体接続部と接続している。このため、両導体接続部が目視できない枠体内に配置されている場合でも、両導体接続部の位置合わせが簡単にしかも正確になされ、導体接続部を有する枠体の機械的電気的な連結接続を、導体接続部を損傷することなく良好に行える。また、第１の枠体と第２の枠体を固定する手段を枠体内に設けているので、物体の接触による枠体の機械的電気的な連結接続の解除が防止できる。
【００４６】
また、請求項２に係る発明においては第１の枠体にリリース孔を設け、専用の工具を用いた場合にのみ連結装置による枠体の固定を解除できるので、セキュリテイの面で信頼性が向上する。
【００４７】
また、請求項３に係る発明においては前記連結装置を多光軸光電スイッチに適用しているので、多光軸光電スイッチの各ユニット（枠体）の機械的電気的な連結接続が良好に行える。
【図面の簡単な説明】
【図１】本発明の実施の形態の枠体の連結装置の分解斜視図である。
【図２】連結装置の底面図である。
【図３】連結装置の断面図である。
【図４】連結装置の側断面図である。
【図５】アウターケースの底面図である。
【図６】増設ユニットの一部を示す分解斜視図である。
【図７】増設ユニットのアウターケースを示す分解斜視図である。
【図８】図７の矢視Ａ方向からみた正面図である。
【図９】増設ユニットの斜視図である
【図１０】多光軸光電スイッチの組立図である。
【図１１】多光軸光電スイッチの斜視図である。
【図１２】エンドユニットの取付け部材の分解斜視図である。
【図１３】多光軸光電スイッチの従来例の斜視図である。
【図１４】多光軸光電スイッチの従来例の組立図である。
【図１５】多光軸光電スイッチの従来例の電気的な連結を示す斜視図である。
【符号の説明】
１    基本ユニット
２、１２  インナーケース
２ａ、１２ａ  雄型コネクタ
３、１３  固定枠
４、１４、２４  アウターケース
５    エンドカバー
６、２５  取付部
７    リード線
１１    増設ユニット
１３ａ  ロックアーム係合孔
１４ｇ  スペーサ
１４ｈ  スペーサ係合孔
１５    連結装置
１６    パッキン
１７    ロックアーム
１９    板バネ
２１    エンドユニット
２６    第１取付け金具
２７    第２取付け金具
５１    投光部
５２    受光部
５３ａ〜５３ｆ  受光素子
【図１】
0004166866.tif 000002
【図２】
0004166866.tif 000003
【図３】
0004166866.tif 000004
【図４】
0004166866.tif 000005
【図５】
0004166866.tif 000006
【図６】
0004166866.tif 000007
【図７】
0004166866.tif 000008
【図８】
0004166866.tif 000009
【図９】
0004166866.tif 000010
【図１０】
0004166866.tif 000011
【図１１】
0004166866.tif 000012
【図１２】
0004166866.tif 000013
【図１３】
0004166866.tif 000014
【図１４】
0004166866.tif 000015
【図１５】
0004166866.tif 000016